(57)【要約】【課題】ユーザの体型の経時変化を加味したコーディネートを確認する。【解決手段】  情報処理装置１は、人物データに含まれている情報と、経時人物変化情報とに基づき、所定の期間経過後の上記人物データを生成し、経時変化後の上記人物データに含まれる経時変化後の人物画像と、服飾品データ取得手段６３２が取得した服飾品データに含まれている服飾品画像とを合成した合成画像を生成し、表示部２に上記合成画像を表示させる。【選択図】図１
2013200834.tif 000002
【特許請求の範囲】
【請求項１】
服飾品のコーディネートに関する情報処理装置であって、
コーディネートした状態の服飾品と人物との画像を表示する表示部と、
コーディネート中の服飾品の画像を含む服飾品データを取得する服飾品データ取得手段と、
コーディネート中の人物の画像を含む人物データを取得する人物データ取得手段と、
時間の経過に応じた人物の体型の変化情報を、人物データ毎に対応付けて経時人物変化情報として格納した経時人物変化情報データベースと、
上記人物データ取得手段によって取得された上記人物データに対し、上記経時人物変化情報データベースから読み取った、当該人物データに対応付けられた経時人物変化情報を用いて経時変化処理を施した経時変化後の人物データを生成する人物経時変化処理手段と、
上記服飾品データ取得手段によって取得された上記服飾品データに含まれる上記服飾品の画像と、上記人物経時変化処理手段によって生成された上記経時変化後の人物データに含まれる上記人物の画像とを合成した合成画像を生成する画像合成処理手段と、
上記画像合成処理手段によって生成された上記合成画像を上記表示部に表示させる表示制御手段と、
を備えることを特徴とする情報処理装置。
【請求項２】
経時変化させる期間を指定する経過時間指定手段を備え、
上記人物経時変化処理手段は、上記人物データ取得手段によって取得された上記人物データに対して、上記経時人物変化情報データベースから読み取った、当該人物データに対応付けられ、上記経過時間指定手段によって指定された経過時間に対応する経時人物変化情報を用いて経時変化処理を施した、経時変化後の上記人物データを生成する
ことを特徴とする、請求項１に記載の情報処理装置。
【請求項３】
上記人物データが、
上記人物の画像の他に、年齢、性別、身長、体重、および足のサイズのうち１つ以上を含んでいる
ことを特徴とする、請求項１または２に記載の情報処理装置。
【請求項４】
上記経時人物変化情報は、単位時間に対応付けられた入力値に基づいて人物の体型が変化する情報を含むことを特徴とする、請求項１から３のいずれか１項に記載の情報処理装置。
【請求項５】
上記人物データ取得手段によって取得される人物データに含まれる人物の画像に、背景画像が付加されていることを特徴とする、請求項１から４のいずれか１項に記載の情報処理装置。
【請求項６】
上記人物データに、身長、体重の少なくとも一方を含む身体情報が含まれており、
人物の体型を、上記身体情報と対応付けて人物体型情報として格納した人物体型情報データベースと、
上記人物データ取得手段によって取得された上記人物データに含まれる身体情報に対応付けられた人物体型情報を、上記人物体型情報データベースから読み取り、読み取った人物体型情報を用いて上記人物データに含まれる画像を補正する人物画像補正手段と、
を備えることを特徴とする、請求項１から５のいずれか１項に記載の情報処理装置。
【請求項７】
上記画像合成処理手段はさらに、
経時変化前の上記人物データに含まれる上記人物の画像と、上記服飾品データに含まれる上記服飾品の画像とを合成した、経時変化前の合成画像を生成し、
上記表示制御手段は、
上記経時変化前の合成画像と、上記合成画像とを同時に上記表示部に表示させる
ことを特徴とする、請求項１から６のいずれか１項に記載の情報処理装置。
【請求項８】
上記表示制御手段は、
異なる角度から見た複数の上記合成画像を切り替えて上記表示部に表示させる
ことを特徴とする、請求項１から７のいずれか１項に記載の情報処理装置。
【請求項９】
上記表示制御手段は、
異なる角度から見た複数の上記合成画像を同時に上記表示部に表示させる
ことを特徴とする、請求項１から７のいずれか１項に記載の情報処理装置。
【請求項１０】
服飾品のコーディネートに関し、コーディネートした状態の服飾品と人物との画像を表示する表示部を備える情報処理装置の制御方法であって、
コーディネート中の服飾品の画像を含む服飾品データを取得する服飾品データ取得ステップと、
コーディネート中の人物の画像を含む人物データを取得する人物データ取得ステップと、
上記人物データ取得ステップにおいて取得した上記人物データに対し、時間の経過に応じた人物の体型の変化情報を、人物データ毎に対応付けて経時人物変化情報として格納した経時人物変化情報データベースから読み取った、当該人物データに対応付けられた経時人物変化情報を用いて経時変化処理を施した経時変化後の人物データを生成する人物経時変化処理ステップと、
上記服飾品データ取得ステップにおいて取得した上記服飾品データに含まれる上記服飾品の画像と、上記人物経時変化処理ステップにおいて生成した上記経時変化後の人物データに含まれる上記人物の画像とを合成した合成画像を生成する画像合成処理ステップと、
上記画像合成処理ステップにおいて生成した上記合成画像を上記表示部に表示させる表示制御ステップと、
を含むことを特徴とする情報処理装置の制御方法。
【請求項１１】
請求項１から９のいずれか１項に記載の情報処理装置の上記各手段としてコンピュータを機能させるための制御プログラム。
【請求項１２】
請求項１１に記載の制御プログラムを記録したコンピュータ読み取り可能な記録媒体。
【発明の詳細な説明】
【技術分野】
【０００１】
本発明は、コーディネートに関する情報処理装置、情報処理装置の制御方法、制御プログラム、制御プログラムを記録したコンピュータ読み取り可能な記録媒体に関するものである。
【背景技術】
【０００２】
今日、服飾品の購入の検討に際し、服飾品の画像を組み合わせてコーディネートした試着画像を表示する試着画像表示装置が多く開示されている。中でも、服飾品画像とユーザの写真などの身体画像とを組み合わせてコーディネートする技術は、その服飾品を実際にユーザが身に付けている状態のコーディネートを、実際の試着に伴う着替え等の手間を省いて手軽に確認することができるため有用である。
【０００３】
特許文献１には、コンピュータ・ネットワーク上で、利用者の身体画像データと、ＩＤによって識別される衣服の画像データとに基づき、画像処理サーバが画像合成した試着画像を、アクセスポイントを介して利用者端末に提供する試着画像提供システムが記載されている。
【０００４】
また、特許文献２には、入力された任意の衣類および靴の画像が試着画像のどの部位に当たるかを部位情報として判別し、各部位情報の示す位置に上記衣類および靴の画像を生成し、人物の画像と合成して試着画像を生成する試着画像表示装置が記載されている。
【先行技術文献】
【特許文献】
【０００５】
【特許文献１】特開２００３−６６２３号公報（２００３年１月１０日公開）
【特許文献２】特開２００６−１３５８７６号公報（２００６年５月２５日公開）
【発明の概要】
【発明が解決しようとする課題】
【０００６】
しかしながら、服飾品を身に付ける人物の体型は、時間の経過とともに変化するものである。例えば、１０歳の子供であれば、現在着用している服は１年後には窮屈になったり丈が合わなくなったりしていることが予想され、また、妊娠すると、腹囲の増大に伴って現在着用しているサイズの服飾品が着用に適さなくなる時期が訪れる。さらに、成長期や妊娠期間でなくとも、成人であっても時間の経過とともに体重が増えたり、ダイエットをして体重が減ったりすることはよく見られる現象である。
【０００７】
特許文献１および特許文献２では、いずれも現在の、より厳密には購入検討時より過去の時点において撮影された人物画像を用いてコーディネート画像を生成するものであり、人物の体型の経時的な変化を加味したコーディネートを確認することはできない。
【０００８】
本発明は、上記事情に鑑みてなされたものであり、その目的は、ユーザが購入を検討している服飾品について、ユーザの体型の経時変化を加味したコーディネートを確認することができる技術を提供することにある。
【課題を解決するための手段】
【０００９】
本発明に係る情報処理装置は、服飾品のコーディネートに関し、コーディネートした状態の服飾品と人物との画像を表示する表示部と、コーディネート中の服飾品の画像を含む服飾品データを取得する服飾品データ取得手段と、コーディネート中の人物の画像を含む人物データを取得する人物データ取得手段と、時間の経過に応じた人物の体型の変化情報を、人物データ毎に対応付けて経時人物変化情報として格納した経時人物変化情報データベースと、上記人物データ取得手段によって取得された上記人物データに対し、上記経時人物変化情報データベースから読み取った、当該人物データに対応付けられた経時人物変化情報を用いて経時変化処理を施した経時変化後の人物データを生成する人物経時変化処理手段と、上記服飾品データ取得手段によって取得された上記服飾品データに含まれる上記服飾品の画像と、上記人物経時変化処理手段によって生成された上記経時変化後の人物データに含まれる上記人物の画像とを合成した合成画像を生成する画像合成処理手段と、上記画像合成処理手段によって生成された上記合成画像を上記表示部に表示させる表示制御手段と、を備えることを特徴としている。
【００１０】
また、本発明に係る情報処理装置の制御方法は、服飾品のコーディネートに関し、コーディネートした状態の服飾品と人物との画像を表示する表示部を備える情報処理装置の制御方法であって、コーディネート中の服飾品の画像を含む服飾品データを取得する服飾品データ取得ステップと、コーディネート中の人物の画像を含む人物データを取得する人物データ取得ステップと、上記人物データ取得ステップにおいて取得した上記人物データに対し、時間の経過に応じた人物の体型の変化情報を、人物データ毎に対応付けて経時人物変化情報として格納した経時人物変化情報データベースから読み取った、当該人物データに対応付けられた経時人物変化情報を用いて経時変化処理を施した経時変化後の人物データを生成する人物経時変化処理ステップと、上記服飾品データ取得ステップにおいて取得した服飾品データに含まれる上記服飾品の画像と、上記人物経時変化処理ステップにおいて生成した上記経時変化後の人物データに含まれる上記人物の画像とを合成した合成画像を生成する画像合成処理ステップと、上記画像合成処理ステップにおいて生成した上記合成画像を上記表示部に表示させる表示制御ステップと、を含むことを特徴としている。
【００１１】
上記構成によれば、情報処理装置は、取得したコーディネート中の人物の画像を含む人物データに対して、当該人物データに対応付けられた経時人物変化情報を用いて、経時変化処理を施した経時変化後の人物データを生成することができる。これにより、上記情報処理装置は、上記経時変化後の人物データに含まれる人物の画像と、服飾品データに含まれる服飾品の画像とを合成した合成画像を表示部に表示させることができる。
【００１２】
従って、ユーザは、服飾品の購入検討時に、ユーザ自身が上記服飾品を身に付けた状態を具体的にイメージすることができるとともに、ユーザ自身の体型の経時変化を加味したコーディネートを確認することできる。
【００１３】
上記情報処理装置はさらに、経時変化させる期間を指定する経過時間指定手段を備え、上記人物経時変化処理手段は、上記人物データ取得手段によって取得された上記人物データに対して、上記経時人物変化情報データベースから読み取った、当該人物データに対応付けられ、上記経過時間指定手段によって指定された経過時間に対応する経時人物変化情報を用いて経時変化処理を施した、上記経時変化後の人物データを生成することが好ましい。
【００１４】
上記構成によれば、情報処理装置は、取得したコーディネート中の人物の画像を含む人物データに対して、当該人物データに対応付けられ、上記指定された経過時間に対応する経時人物変化情報を用いて経時変化処理を施した経時変化後の人物データを生成することで、ユーザが指定する経過時間後の人物が当該服飾品を着用した状態を提示することができる。
【００１５】
これにより、ユーザは、服飾品の購入検討時に、所望の経過時間に応じたユーザ自身の体型の経時変化を加味したコーディネートを確認することができる。
【００１６】
上記人物データは、上記人物の画像の他に、年齢、性別、身長、体重、および足のサイズのうち１つ以上を含んでいることが好ましい。
【００１７】
上記構成によれば、人物データに、上記人物の画像の他に、年齢、性別、身長、体重、および足のサイズのうち１つ以上が含まれていることで、上記経時人物変化情報データベースに格納されている経時人物変化情報には、人物の経時変化をより正確に予測するための、上記の各パラメータのうち少なくとも１つのパラメータが対応付けられることになる。これにより、人物経時変化処理手段は、上記パラメータに対応付けられた経時人物変化情報を用いることにより、当該人物に関してより的確かつ詳細な経時変化処理を施した経時変化後の人物データを生成することができる。
【００１８】
従って、ユーザは服飾品の購入検討時に、より的確なユーザ自身の体型の経時変化を加味したコーディネートを確認することができる。
【００１９】
上記経時人物変化情報はさらに、単位時間に対応付けられた入力値に基づいて人物の体型が変化する情報を含んでいてもよい。
【００２０】
上記構成によれば、経時人物変化情報はさらに、単位時間に対応付けられた入力値に基づいて人物の体型が変化する情報を含んでいるので、人物経時変化処理手段は、ユーザが入力した単位時間に対応付けられた入力値に基づいて、経時変化後の体型が変化した人物データを生成することができる。ここで、例えば単位時間に対応付けられた入力値に基づいて人物の体型が変化する情報として、１日当たりの摂取カロリーと運動による消費カロリーとした場合、これらのカロリー収支を所定の期間継続した場合の人物の体型の変化を反映させた人物の画像を提示することができる。
【００２１】
従って、ユーザは、ダイエットの具体的な計画を立てることができるとともに、モチベーションを向上させることができる。
【００２２】
上記人物データ取得手段によって取得される上記人物データに含まれる上記人物の画像に、背景画像が付加されていてもよい。
【００２３】
上記構成によれば、人物データ取得手段によって取得される人物データに含まれる人物の画像に、背景画像が付加されていることで、画像合成処理手段は、上記背景画像が付加された上記人物の画像に上記人物経時変化処理手段によって生成された経時変化後の人物データの画像を合成することによって、背景画像を伴った合成画像を生成することができる。
【００２４】
これにより、ユーザは、好みの場面に応じたコーディネートを考慮することができる。
【００２５】
上記情報処理装置は、上記人物データに、身長、体重の少なくとも一方を含む身体情報が含まれており、さらに、人物の体型を、上記身体情報と対応付けて人物体型情報として格納した人物体型情報データベースと、上記人物データ取得手段によって取得された上記人物データに含まれる身体情報に対応付けられた人物体型情報を、上記人物体型情報データベースから読み取り、読み取った人物体型情報を用いて上記人物データに含まれる画像を補正する人物画像補正手段とを備えることを特徴としている。
【００２６】
上記構成によれば、人物画像補正手段は、ユーザの入力した人物データ中の人物の画像に対し、身長や体重などの身体情報に基づいて適切な体型の身体画像を補充する補正を行うことができる。これにより、人物経時変化処理手段は、上記人物画像補正手段によって補正された人物の画像に対して経時変化処理を施した、経時変化後の人物の画像を含む人物データを生成することができる。
【００２７】
従って、ユーザは、自身の全身画像を所持していなくとも、ユーザの体型に近い人物画像でユーザ自身の体型の経時変化を加味したコーディネートを確認することができる。
【００２８】
上記画像合成処理手段はさらに、経時変化前の上記人物データに含まれる上記人物の画像と、上記服飾品データに含まれる上記服飾品の画像とを合成した、経時変化前の合成画像を生成し、上記表示制御手段は、さらに、上記経時変化前の合成画像と、上記合成画像とを同時に上記表示部に表示させることを特徴としている。
【００２９】
上記構成によれば、上記情報処理装置は、経時変化前後の上記合成画像を、同時にユーザに提示することができる。
【００３０】
これにより、ユーザは、購入を検討している服飾品を身に付けた状態が、時間の経過によってどの程度変化するのかを一目で把握することができる。
【００３１】
上記表示制御手段は、さらに、異なる角度から見た複数の上記合成画像を切り替えて上記表示部に表示させることを特徴としている。
【００３２】
上記構成によれば、上記情報処理装置は、異なる角度から見た複数の上記合成画像を切り替えてユーザに提示することができる。
【００３３】
これにより、ユーザは、購入を検討している服飾品を身に付けた状態について、複数の角度から見たシルエットの変化などを確認することができる。
【００３４】
上記表示制御手段は、さらに、異なる角度から見た複数の上記合成画像を同時に上記表示部に表示させることを特徴としている。
【００３５】
上記構成によれば、上記情報処理装置は、異なる角度から見た複数の上記合成画像を同時にユーザに提示することができる。
【００３６】
これにより、ユーザは、購入を検討している服飾品を身に付けた状態について、複数の角度から見たシルエットの変化などを一目で確認することができる。
【００３７】
なお、上記情報処理装置は、コンピュータによって実現してもよく、この場合には、コンピュータを上記各手段として動作させることにより上記情報処理装置をコンピュータにて実現させる情報処理装置の制御プログラム、およびそれを記録したコンピュータ読み取り可能な記録媒体も、本発明の範疇に入る。
【発明の効果】
【００３８】
上記のように、本発明に係る情報処理装置は、服飾品のコーディネートに関し、コーディネートした状態の服飾品と人物との画像を表示する表示部と、コーディネート中の服飾品の画像を含む服飾品データを取得する服飾品データ取得手段と、コーディネート中の人物の画像を含む人物データを取得する人物データ取得手段と、時間の経過に応じた人物の体型の変化情報を、人物データ毎に対応付けて経時人物変化情報として格納した経時人物変化情報データベースと、上記人物データ取得手段によって取得された上記人物データに対し、上記経時人物変化情報データベースから読み取った、当該人物データに対応付けられた経時人物変化情報を用いて経時変化処理を施した経時変化後の人物データを生成する人物経時変化処理手段と、上記服飾品データ取得手段によって取得された上記服飾品データに含まれる上記服飾品の画像と、上記人物経時変化処理手段によって生成された上記経時変化後の人物データに含まれる上記人物の画像とを合成した合成画像を生成する画像合成処理手段と、上記合成画像処理手段によって生成された合成画像を上記表示部に表示させる表示制御手段と、を備える構成である。
【００３９】
上記の構成によれば、ユーザは、服飾品の購入検討時に、ユーザ自身が上記服飾品を身に付けた状態を具体的にイメージすることができるとともに、ユーザ自身の体型の経時変化を加味したコーディネートを確認することできる。
【図面の簡単な説明】
【００４０】
【図１】本発明の第１の実施形態に係る情報処理装置の構成を示す機能ブロック図である。
【図２】図１に示す情報処理装置による、服飾品に関する経時変化処理の流れを示すフローチャートである。
【図３】（ａ）は、図１に示す情報処理装置による、人物画像の表示例を示す図であり、（ｂ）は、図１に示す情報処理装置による、人物画像の別の表示例を示す図であり、（ｃ）は、図１に示す情報処理装置による、人物画像のさらに別の表示例を示す図であり、（ｄ）は、図１に示す情報処理装置による、１個の服飾品データを取り込んだ状態での合成画像の表示例を示す図であり、（ｅ）は、図１に示す情報処理装置による、２個の服飾品データを取り込んだ状態での合成画像の表示例を示す図である。
【図４】（ａ）は、図１に示す情報処理装置による、経時変化後の合成画像の表示例を示す図であり、（ｂ）は、図１に示す情報処理装置による、３０歳男性の経時変化前後の合成画像を並べて表示している表示例を示す図であり、（ｃ）は、図１に示す情報処理装置による、１０歳男性の経時変化前後の合成画像を並べて表示している表示例を示す図であり、（ｄ）は、図１に示す情報処理装置による、エネルギー収支を加味した経時変化前後の合成画像を並べて表示している表示例を示す図である。
【図５】本発明の第２の実施形態に係る情報処理装置の構成を示す機能ブロック図である。
【図６】図５に示す情報処理装置による、人物画像の補正処理の流れを示すフローチャートである。
【図７】（ａ）は、図５に示す情報処理装置による、補正条件の設定画面の表示例を示す図であり、（ｂ）は、図５に示す情報処理装置による、補正画像の表示例を示す図であり、（ｃ）は、図５に示す情報処理装置による、補正後の合成画像の表示例を示す図である。
【発明を実施するための形態】
【００４１】
〔第１の実施形態〕
本実施形態に係る情報処理装置は、店舗等に設置されている端末であって、ユーザが購入を検討している服飾品を当該ユーザ自身が身に付けた状態について、上記ユーザの体型が、所定の期間が経過することによりどのように変化するのかを反映させた経時変化後のコーディネート画像を提示することを可能にするものである。
【００４２】
図１は、本実施形態に係る情報処理装置１の機能ブロック図である。情報処理装置１には、パソコン、タブレット端末、携帯電話、およびデジタルテレビなど、画像表示機能を備えるあらゆる情報処理装置が含まれる。
【００４３】
上記情報処理装置１は、図１に示すように、表示部２、入力部３、撮像部４、通信部５、制御部６、記憶部７を有している。
【００４４】
表示部２は、通信部５や撮像部４を介して取得した服飾品画像、あるいは制御部６において上記画像に経時変化処理を施した画像を表示する手段であり、例えば液晶ディスプレイなどである。
【００４５】
入力部３は、ユーザが入力操作を行うインターフェースであり、例えばハードキーやタッチパネルなどである。ユーザは入力部３を介して、服飾品の取り込み指示や、経時変化条件の入力を行う。
【００４６】
撮像部４は、服飾品画像などを取得する手段であり、例えばＣＣＤ（charge coupled device）カメラなどである。上記画像は、ユーザの所有する携帯電話などのカメラで取得され、通信部５を介して情報処理装置１に取得されてもよい。また、撮像部４は、バーコードリーダの機能を備えており、服飾品に取り付けられたバーコードの読み取りを行ってもよい。
【００４７】
通信部５は、有線または無線により外部と通信する手段であり、例えばユーザの所有する携帯電話や、店舗の商品データベースなどとデータの送受信を行う。通信手段として、ＩＣ通信、Bluetooth（登録商標）通信、赤外線通信、電話回線網を利用してもよい。また、通信部５は、服飾品に取り付けられたＩＣチップタグの読み取りを行ってもよい。
【００４８】
制御部６は、上記の各部材の機能を統括し、情報処理装置１の駆動を制御する手段である。記憶部７は、制御部６が行う各処理において参照されるデータやプログラムを保持する手段である。
【００４９】
次に、制御部６の詳細な構成について説明する。制御部６は、表示制御部（表示制御手段）６１と、入力受付部６２と、コーディネートデータ取得部６３と、データ取得完了確認部６４と、人物経時変化処理部（人物経時変化処理手段）６５とを備える。
【００５０】
表示制御部６１は、コーディネートデータ取得部６３が取得した服飾品画像と人物画像、あるいはそのうち上記人物画像に経時変化処理を施したものを、表示部２に画像として出力する。表示制御部６１は、同一の服飾品と人物の複数の異なる角度の画像を同時に、あるいは切り替えて表示させるように表示部２に対し指示を出してもよい。
【００５１】
入力受付部（経過時間指定手段）６２は、入力部３に対するユーザ入力を取得する。具体的には、入力部３からのユーザ入力に基づいて、コーディネートデータ取得部６３に対して服飾品データおよび人物データの取得を指示したり、人物経時変化処理部６５に送信する経時変化条件を取得したりする。
【００５２】
コーディネートデータ取得部６３は、服飾品データおよび人物データ、すなわちコーディネートに必要な画像などのデータをコーディネートデータとして、撮像部４や通信部５、および入力受付部６２を介して服飾品データを取得する。コーディネートデータ取得部６３は、人物データ取得部（人物データ取得手段）６３１と、服飾品データ取得部（服飾品データ取得手段）６３２と、を備える。
【００５３】
人物データ取得部６３１は、撮像部４や通信部５、および入力受付部６２を介して人物データを取得する。なお、上記人物データは、上記人物の画像の他に、年齢、性別、身長、体重、および足のサイズのうち１つ以上を含んでいることが好ましい。
【００５４】
服飾品データ取得部６３２は、撮像部４や通信部５、および入力受付部６２を介して服飾品データを取得する。なお、上記服飾品データは、上記服飾品の画像の他に、識別ＩＤ、服飾品カテゴリ、サイズ、生地の素材、製造日、および対象性別のうち１つ以上を含んでいることが好ましい。
【００５５】
データ取得完了確認部６４は、入力部３からの入力に基づいて、服飾品データの取り込みが完了したか否かを判定する。例えば、表示部２に「取り込み」「完了」の２つを表示させておき、ユーザが「取り込み」を選択すれば、データ取得完了確認部６４は、まだ取り込むべきデータがあると判断し、服飾品データ取得部６３２に対し、服飾品データの取得を継続するよう指示を出す。ユーザが「完了」を選択すれば、データ取得完了確認部６４は、取り込みが完了したと判断し、服飾品データ取得部６３２に対し、次の処理へと進むよう指示を出す。
【００５６】
人物経時変化処理部６５は、上記人物データについて、所定の期間経過後の変化を計算する。具体的には、ユーザが設定した経時変化条件と、記憶部７の経時人物変化情報ＤＢ７１に格納されている経時人物変化情報とに基づき、上記人物の体型がどのように変化するかを計算し、経時変化後の人物データを生成する。
【００５７】
画像合成処理部６６は、複数の画像を合成し、新たな画像を生成する。具体的には、人物画像と服飾品画像を組み合わせることにより、実際に着用した様子をイメージしやすいコーディネート画像である合成画像を生成する。
【００５８】
経時人物変化情報ＤＢ（経時人物変化情報データベース）７１は、上記記憶部７に含まれ、時間の経過に伴い人物の体型がどのように変化するかの情報（経時人物変化情報）を格納したデータベースである。上記服飾品の構成要素とは、例えば色や形状や素材などである。経時人物変化情報ＤＢ７１には、年齢によって異なる体型変化の情報も格納されており、例えば、１年後における体型の変化は大人より子供のほうが大きいと考えられる。経時人物変化情報ＤＢ７１に格納されている情報は、統計的実測値に基づくものであることが好ましい。また、経時人物変化情報ＤＢ７１は情報処理装置１の外部に存在してもよく、その場合は上記経時人物変化情報は通信部５を介して取得されてもよい。
【００５９】
図２は、本実施形態に係る情報処理装置１の行う処理の流れを示すフローチャートである。今回は、購入検討服飾品として、Ｔシャツとズボンを選択し、これらの服飾品画像と人物画像とを重畳して表示する例を示す。
【００６０】
まず、人物データの取り込みが行なわれる（ステップＳ１０１：人物データ取得ステップ）。ここでは、コーディネートデータ取得部６３の人物データ取得部６３１が、撮像部４または通信部５を介して、服飾品を着用する人物（ユーザなど）のデータ（人物データ）を取得する。上記人物データには、人物画像の他に、年齢、性別、身長、体重、および足のサイズなどが含まれる。上記人物データが上記のような身体情報を含むことにより、ユーザは購入を検討している服飾品が着用可能であるか、また、上記服飾品がユーザ自身の体型の経時変化によって着用できなくなるか否かを簡易に知ることができる。上記人物データは、例えば、対象となる人物が人物データを内蔵したＩＣチップカードを所持しており、上記ＩＣチップカードの情報を、通信部５を介して読み取ることで取得されてもよい。また、別の装置が上記人物データの一部または全てを保持している場合には、それらのデータが通信部５を介して取得されてもよい。
【００６１】
上記人物データは、上記人物画像における身体部位の区画を示す情報を含むことが好ましい。上記身体部位の区画を示す情報とは、すなわち、画像中においてどこからどこまでが右腕か、ウエストの位置はどこか等の情報である。この情報は上記人物データに元々含まれていてもよいし、情報処理装置１上で画像範囲の選択等を行うことによって設定されてもよい。これにより、上記人物画像に上記服飾品画像を適切に重畳することができるほか、経時変化に伴う画像処理を適切に行うことができる。
【００６２】
また、上記人物画像は人物のみを切り抜いたものでもよいし、背景画像が付加されたものであってもよい。ここで、背景画像が付加されたものとは、例えば、カメラ撮影した人物とその背景画像をそのまま人物画像としたものなどである。背景画像があることにより、ユーザは所定の場面に応じたコーディネートを考慮することができる。なお、上記人物画像は、頭から足までのシルエット全体を写した直立不動のものが好ましいが、これに限らない。
【００６３】
次に、人物画像を表示する（ステップＳ１０２）。ここでは、表示制御部６１は、例えば図３（ａ）に示すように、コーディネートデータ取得部６３から受信した上記人物データの上記人物画像３０を、表示部２に表示させる。画像だけでなく、身長や体重などの身体情報３１を合わせて表示させてもよいし、画像が複数ある場合はそれらを同時に表示させてもよい。同一の人物に関して複数の画像を保持している場合は、例えば図３（ｂ）に示すように、正面図３０ａと背面図３０ｂのように、２つ以上の画像を同時に表示させてもよいし、例えば図３（ｃ）に示すように、切り替えボタン３２によって、表示部２に表示させる正面図３０ａと背面図３０ｂとを任意に切り替えることができるようにしてもよい。また、３Ｄ画像の場合は視点を任意に変更できるようにしてもよい。
【００６４】
続いて、服飾品データの取り込みが行なわれる（ステップＳ１０３：服飾品データ取得ステップ）。ここでは、服飾品データ取得部６３２が、撮像部４または通信部５を介して、ユーザが購入を検討している服飾品の服飾品データを取得する。上記服飾品データは、上記服飾品の画像の他に、識別ＩＤ、服飾品カテゴリ、サイズ、生地の素材、製造日、および対象性別のうち１つ以上を含んでいることが好ましい。上記服飾品データは、例えば、上記服飾品データを内蔵したＩＣチップタグやバーコードが上記服飾品に取り付けられており、そのＩＣチップやバーコードの情報を撮像部４や通信部５で読み取ることで取得されてもよい。また、店舗などに服飾品を管理しているデータベースサーバ（図示せず）があり、上記データベースサーバに格納されている情報が、通信部５を介して取得されてもよい。また、上記服飾品画像は２Ｄの平面画像であっても、３Ｄの立体画像（３次元モデル）であってもよい。画像以外のパラメータは、入力部３を介して取得されてもよい。
【００６５】
次に、服飾品画像と人物画像の合成を行なう（ステップＳ１０４）。ここでは、画像合成処理部６６が、コーディネートデータ取得部６３から受信した上記人物データ中の上記人物画像３０と、上記服飾品データ中の上記服飾品画像３３とを合成し、上記人物（ユーザなど）が上記服飾品を身に付けた状態の合成画像（経時変化前の合成画像）３４を生成する。
【００６６】
次いで、合成画像を表示する（ステップＳ１０５）。ここでは、表示制御部６１が、図３（ｄ）に示すように、画像合成処理部６６が生成した上記合成画像３４を表示部２に表示させる。画像だけでなく、サイズなどのその他の上記服飾品データや、身長や体重などその他の上記人物データを合わせて表示させてもよい。服飾品および人物について複数の画像を保持している場合は、例えば正面図と背面図のように、２つ以上の合成画像３４を同時に表示させてもよいし、切り替えボタン３２（図３（ｃ））によって、表示部２に表示させる正面図と背面図とを任意に切り替えることができるようにしてもよい。また、人物画像３０と服飾品画像３３がともに３Ｄ画像の場合は視点を任意に変更できるようにしてもよい。さらに、ＡＲ（Augmented Reality：拡張現実）技術として、撮像部４で取得されている画像を表示部２にそのまま表示させ、その画像上でコーディネートできるようにしてもよい。
【００６７】
表示部２が合成画像３４を表示することで、ユーザは、現時点でのコーディネートを確認することができる。
【００６８】
続いて、服飾品データの取り込み完了を確認する（ステップＳ１０６）。ここでは、データ取得完了確認部６４が、入力部３からの入力に基づいて、服飾品データの取り込みが完了したか否かを判定する。例えば、表示部２に取り込み完了確認ボタン３５として「取り込み」「完了」の２つを表示させておき、次の服飾品データの取り込み指示を待つ。
【００６９】
ユーザが「取り込み」を選択した場合（Ｓ１０６でＮｏ）、データ取得完了確認部６４は、まだ取り込むべきデータがあると判断し、服飾品データ取得部６３２に対し、次の服飾品データを取得するよう指示を出す。
【００７０】
ユーザが「完了」を選択した場合（Ｓ１０６でＹｅｓ）、データ取得完了確認部６４は、取り込みが完了したと判断し、服飾品データ取得部６３２に対し、次のステップＳ１０７へと進むよう指示を出す。本例では、Ｔシャツの他にズボンのデータを取り込むため、図３（ｄ）に示すように、Ｔシャツのみを取り込んだ状態では、ユーザは「取り込み」を選択し、図３（ｅ）に示すように、Ｔシャツとズボンを取り込んだ状態では、ユーザは「完了」を選択する。
【００７１】
服飾品データの取り込みが完了したと判定されると（Ｓ１０６でＹｅｓ）、ステップＳ１０７において、経時変化条件の取得が行なわれる。ここでは、入力受付部６２が、入力部３を介して、ユーザが入力した服飾品の経時変化条件を取得する。経時変化条件としては、例えば、経時変化させる基準日（2012/1/1等）、経時変化させる期間（基準日からの期間、１年等）、経時変化させる期間経過後の身体情報（身長、体重）などが考えられるが、これに限らない。
【００７２】
続いて、経時変化条件に応じた合成画像を生成する（ステップＳ１０８）。ここでは、まず、人物経時変化処理部６５が、ステップＳ１０７で入力受付部６２が取得した上記人物の経時変化条件を受信し、上記経時変化条件と、経時人物変化情報ＤＢ７１に格納されている、上記人物データに対応付けられた経時人物変化情報とに基づいて、経時変化後の人物データを生成する。人物の経時変化処理が終了すると、人物経時変化処理部６５は、画像合成処理部６６に対し、上記経時変化後の人物データを送信する。続いて、画像合成処理部６６はＳ１０４と同様の処理によって、図４（ａ）に示すような経時変化後の合成画像（合成画像）３４ｂを生成する。
【００７３】
ここで、人物の経時変化処理について説明する。記憶部７の経時人物変化情報ＤＢ７１には、現在の身長、体重などの身体情報３１、および年齢、性別などから将来の身体状況を算出する経時人物変化情報が格納されている。経時人物変化情報ＤＢ７１は、人物データが年齢ごとの身体情報を含んでいる場合には、過去から現在までの身体情報を利用して、将来の身体状況を把握するデータベースであってもよい。
【００７４】
人物経時変化処理部６５は、上記人物の経時変化条件に従って、人物の身長、体重などの身体情報がどの程度変化するかを、上記身体情報３１および年齢、性別などと、経時人物変化情報ＤＢ７１の経時人物変化情報とに基づいて算出し、所定の期間経過後の上記人物データを生成する。
【００７５】
経時人物変化情報ＤＢ７１に格納されている経時人物変化情報の例を示す。
（男性  ３０歳）
現在：身長170cm、体重60kg  ⇒  １年後：身長170cm、体重62kg
（男性  １０歳）
現在：身長136cm、体重34kg  ⇒  １年後：身長142cm、体重38kg
例えば、経時変化させる基準日が本日、経時変化させる期間が１年とすると、人物経時変化処理部６５は、現在の身長および体重を加味したうえで、本日から１年後に身体情報がどの程度変化するかを、経時人物変化情報ＤＢ７１の経時人物変化情報に基づいて算出し、１年後の上記人物データを生成する。なお、上記例に示した通り、子供の場合は成長が著しいが、大人の場合は期間が経過しても身体にあまり変化がないと考えられる。従って、経時変化させる基準日、経時変化させる期間といった条件ではなく、期間経過後の身体情報を直接条件に指定することも可能とする。
【００７６】
次に、経過変化条件に応じた合成画像を表示する（ステップＳ１０９：表示制御ステップ）。ここでは、表示制御部６１が、図４（ａ）に示すように、画像合成処理部６６から受信した上記経時変化後の合成画像３４ｂを、表示部２に表示させる。このとき、表示制御部６１は、例えば図４（ａ）に示すように、経時変化後の合成画像３４ｂのみを表示させてもよいし、経時変化前後の差異が明確になるように、また、例えば図４（ｂ）に示すように、経時変化前の合成画像３４ａと経時変化後の合成画像３４ｂとを並べて表示させてもよい。その他、表示方法についてはステップＳ１０５と同様である。
【００７７】
図４（ｃ）は、上記例に挙げた１０歳男性の経時変化前後の画像を示す図である。図４（ｂ）に示した３０歳男性の経時変化前後の画像と比較すると、１０歳の子供の方が３０歳の大人より成長が著しく、１年後シャツの袖の長さやズボンの丈が合わなくなっている様子が分かる。
【００７８】
続いて、コーディネートの確認終了を判定する（ステップＳ１１０）。ここでは、入力受付部６２が、上記服飾品に関するコーディネートの確認を終了する（Ｙｅｓ）か、経時変化条件を変更して再確認する（Ｎｏ１）か、服飾品の一部、すなわちコーディネートを変更して再確認する（Ｎｏ２）か、のいずれかの指示を受け付ける。ユーザによってコーディネートの確認終了が指示されると（Ｓ１１０でＹｅｓ）、情報処理装置１は、図２のフローチャートの開始が再び指示されるまで待機する。ユーザによって経時変化条件を変更して再確認する指示が出されると（Ｓ１１０でＮｏ１）、ステップＳ１０７において、入力受付部６２は、新たな経時変化条件を取得する。コーディネートを変更して再確認する指示が出されると（Ｓ１１０でＮｏ２）、ステップＳ１０３において、服飾品データ取得部６３２は、撮像部４または通信部５を介して新たな服飾品データを取得する。
【００７９】
上記のように、本実施形態に係る情報処理装置１は、人物画像３０と服飾品画像３３とを合成し、合成画像３４を生成するとともに、上記人物画像３０に対し、身長や体重などの体型情報について、経過する期間に応じてどのように変化するのかを反映させることで、経時変化後の合成画像３４ｂを提示することができる。これにより、ユーザは、購入を検討している服飾品について、当該服飾品を着用した状態を具体的にイメージできるとともに、ユーザ自身の体型の経時変化を加味したコーディネートを確認することができる。さらに、経時変化させる期間を任意に設定できることにより、ユーザは、所望の経過時間に応じたユーザ自身の体型の経時変化を加味したコーディネートを確認することができる。
【００８０】
本実施形態の応用例として、上記経時人物変化情報は、所定の期間におけるカロリーの収支に基づいて人物の体型が変化する情報を含んでいてもよい。具体的には、上記経時人物変化情報は、運動の種類と運動時間による消費カロリーのデータベースと、所定の期間中のカロリー収支の数値によって身体情報３１を変動させる計算式を含んでいてもよい。表示部２における表示形式としては、図４（ｄ）に示すように、１日の摂取カロリーや運動量を示す食事／運動情報３６を参照し、所定の期間後に予想される体型変化を反映させた合成画像３４ｂを表示させてもよい。これにより、ユーザはダイエットの具体的な計画を立てることができるとともに、モチベーションを向上させることができる。
【００８１】
本実施形態のさらに別の応用例として、上記経時人物変化情報は、妊娠中の体型の変化情報を含んでいてもよい。具体的には、妊娠週数ごとに腹囲などの変化量を保持したデータを含んでいてもよい。これにより、ユーザは腹囲が増大した状態でのマタニティ用服飾品の着用イメージを知ることができるほか、現在の体型に合った服飾品がいつから着用に適さなくなるかを知ることができる。
【００８２】
また、上記経時人物変化情報は、単位時間あたりに一律に変化する情報に限られない。例えば、ダイエットを始めたばかりの時期はすぐに体型の変化は見られないが、一定期間継続することで体型の変化が現れるといったように体型の変化が単位時間あたりに一律でない場合もある。このような場合は、それぞれの期間に応じてどの程度体型が変化するのかといった情報をもっておいてもよい。経時変化条件を複数入力した場合、それぞれの条件が体型に及ぼす影響は独立であるとしてもよいし、依存関係があるとしてもよい。また、経時人物変化情報ＤＢ７１は、身体の各部位ごとに上記経時人物変化情報をもっていてもよい。例えば、体重の変動によりサイズの変化が現れやすい部位とそうでない部位があり、これらは性別や年齢等の条件によって異なると考えられる。このような事情を考慮し各部位ごとに細かく上記経時人物変化情報を保持していてもよい。
【００８３】
なお、本発明に係る情報処理装置を利用する場面において、必ずしもユーザが自身の全身画像を所持しているとは限らない。このような状況を想定し、上記情報処理装置は、ユーザの所持する人物画像を適切に補正できることが好ましいと考えられる。
【００８４】
以下の第２の実施形態では、ユーザが自身の全身画像を所持していない場合であっても、ユーザの画像を補間することで、全身画像を生成して、服飾品のコーディネートを確認する例を示している。
【００８５】
〔第２の実施形態〕
本実施形態に係る情報処理装置は、前記第１の実施形態に記載の情報処理装置であって、さらに、補正条件に基づいて人物画像を補正した画像である補正画像を用いた、補正後の合成画像でコーディネートを提示することを可能にするものである。
【００８６】
図５は、本実施形態に係る情報処理装置１２の機能ブロック図である。なお、説明の便宜上、上記第１の実施形態にて説明した図面と同じ機能を有する部材については、同じ符号を付記し、その説明を省略する。
【００８７】
上記情報処理装置１２は、図５に示すように、前記第１の実施形態の情報処理装置１が備えている制御部６内に人物画像補正部６７を有している。また、情報処理装置１２が有する記憶部７は、経時人物変化情報ＤＢ７１の他に人物体型情報ＤＢ（人物体型情報データベース）７２を有している。
【００８８】
人物画像補正部（人物画像補正手段）６７は、人物データ取得部６３１が取得した人物画像を、所定の補正条件と、人物体型情報ＤＢ７２に格納されている人物体型情報とに基づいて補正する。例えば、肩から上だけが写っている人物の写真を、全身画像にするような補正を行う。なお、上記所定の補正条件とは、入力受付部６２が入力部３を介して取得する身長、体重などの身体情報３１である。
【００８９】
人物体型情報ＤＢ７２は、人物の体型に関する情報（人物体型情報）を格納したデータベースである。具体的には、さまざまな身長、体重等の身体情報３１に対応する体型情報が格納されている。人物体型情報ＤＢ７２に格納されている情報は、統計的実測値に基づくものであることが好ましい。また、人物体型情報ＤＢ７２は情報処理装置１２の外部に存在し、上記人物体型情報は通信部５を介して取得されてもよい。
【００９０】
図６は、本実施形態に係る情報処理装置１２の行う、人物画像の補正処理の流れを示すフローチャートである。この処理を開始するトリガは、例えば、上記第１の実施形態のＳ１０２の直後に設けられており、入力受付部６２が、人物画像の補正を行う指示を、入力部３を介して取得することであってもよい。
【００９１】
人物画像の補正処理が開始すると、まず、補正条件を取得する（ステップＳ２０１）。ここでは、入力受付部６２は、ユーザの入力する補正条件を、入力部３を介して取得する。上記補正条件とは、人物画像をどのように補正するかを示す情報であり、例えば補正カテゴリ７００と人物の身体情報３１とを含む。このとき表示制御部６１は、例えば図７（ａ）に示すように、全身画像に補正するか、上半身画像に補正するかの補正カテゴリ７００を、ユーザが選択できるように表示部２に表示させてもよい。さらに、入力受付部６２は、補正に当たって参照する身長、体重などの身体情報３１を、入力部３を介して取得する。例えば、肩から上のみの人物画像があり、これを全身画像に補正したい場合、ユーザは補正カテゴリ７００として全身画像を選択し、身体情報３１を入力する。上記身体情報３１は、人物データ取得部６３１が取得する人物データに含まれていてもよい。上記補正カテゴリ７００と上記身体情報３１が設定されることにより、補正条件が決定される。
【００９２】
次に、人物画像を補正する（ステップＳ２０２）。ここでは、人物画像補正部６７は、入力受付部６２から受信した上記補正条件と、人物体型情報ＤＢ７２に格納されている人物体型情報とに基づいて、人物データ取得部６３１から受信した上記人物画像の補正を行う。具体的には、上記補正条件に対応する人物体型情報を、人物体型情報ＤＢ７２から参照し、上記人物体型情報と、上記人物画像とを合成し、補正画像７０１を生成する。このとき、図７（ｂ）に示すように、仮の服飾品を身に付けた状態で画像を生成してもよい。
【００９３】
人物体型情報ＤＢ７２には、人物の身長、体重などの身体情報３１から人物の体型を生成するための人物体型情報が格納されている。上記人物体型情報は、例えば上記身体情報に対応付けられた上半身や全身の画像などであり、統計的実測値に基づくデータであることが好ましい。
【００９４】
続いて、補正した人物画像を表示する（ステップＳ２０３）。ここでは、表示制御部６１は、図７（ｂ）に示すように、ステップＳ２０２において生成した補正画像７０１を、表示部２に表示させる。
【００９５】
上記Ｓ２０１〜Ｓ２０３のステップが終了すると、以降の処理の流れは、上記第１の実施形態のＳ１０３以降と同様である。なお、この場合にＳ１０８で生成、Ｓ１０９で表示される合成画像は、図７（ｃ）に示すような補正後の合成画像７０２となる。
【００９６】
上記のように、本実施形態に係る情報処理装置１２は、上記第１の実施形態の奏する効果に加え、さらに、補正条件に基づいて人物画像を補正した画像である補正画像７０１を用いた、補正後の合成画像７０２でコーディネートを提示することができる。これにより、ユーザは、人物の体型の経時変化を加味したコーディネートの確認において、自身の全身画像を所持していなくとも、身体情報３１に対応する適切な体型でのコーディネートを確認することができる。
【００９７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００９８】
〔ソフトウェアによる実現例〕
最後に、情報処理装置１、１２の制御部６の各ブロックは、集積回路（ＩＣチップ）上に形成された論理回路によってハードウェア的に実現してもよいし、ＣＰＵ（Central Processing Unit）を用いてソフトウェア的に実現してもよい。
【００９９】
後者の場合、情報処理装置１、１２は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである情報処理装置１、１２の制御プログラムのプログラムコード（実行形式プログラム、中間コードプログラム、ソースプログラム）をコンピュータで読み取り可能に記録した記録媒体を、情報処理装置１、１２に供給し、そのコンピュータ（またはＣＰＵやＭＰＵ）が記録媒体に記録されているプログラムコードを読み出し実行することによっても、達成可能である。
【０１００】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ／フラッシュＲＯＭ等の半導体メモリ類、あるいはＰＬＤ（Programmable logic device）やＦＰＧＡ（Field Programmable Gate Array）等の論理回路類などを用いることができる。
【０１０１】
また、情報処理装置１、１２を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１０２】
このように、本明細書においては、手段とは必ずしも物理的手段を意味せず、各手段の機能がソフトウェアによって実現される場合も含む。また、１つの手段の機能が２つ以上の物理的手段により実現されてもよいし、２つ以上の手段の機能が１つの物理的手段により実現されてもよい。
【産業上の利用可能性】
【０１０３】
本発明は、店舗等に設置されている装置、特に、パソコン、タブレット端末、携帯電話、およびデジタルテレビなどの、画像表示機能を備える情報処理装置に好適に利用できる。
【符号の説明】
【０１０４】
１    情報処理装置
２    表示部
１２    情報処理装置
３０    人物画像
３０ａ  正面図
３０ｂ  背面図
３１    身体情報
３２    切り替えボタン
３３    服飾品画像（服飾品の画像）
３４    合成画像（経時変化前の合成画像）
３４ｂ  経時変化後の合成画像（合成画像）
６１    表示制御部（表示制御手段）
６３    コーディネートデータ取得部
６５    人物経時変化処理部（人物経時変化処理手段）
６６    画像合成処理部（画像合成処理手段）
６７    人物画像補正部（人物画像補正手段）
７１    経時人物変化情報ＤＢ
７２    人物体型情報ＤＢ
６３１    人物データ取得部（人物データ取得手段）
６３２    服飾品データ取得部（服飾品データ取得手段）
７０１    補正画像
Ｓ１０３  服飾品データ取得ステップ
Ｓ１０１  人物データ取得ステップ
Ｓ１０４画像合成処理ステップ
Ｓ１０５  表示制御ステップ
Ｓ１０８  人物経時変化処理ステップ
【図１】
2013200834.tif 000003
【図２】
2013200834.tif 000004
【図３】
2013200834.tif 000005
【図４】
2013200834.tif 000006
【図５】
2013200834.tif 000007
【図６】
2013200834.tif 000008
【図７】
2013200834.tif 000009